(57)【要約】編糸及び編物の形成方法。本発明は、工具を使用せずに手動で編物を形成するための編糸を提案するが、編糸は、軸線(A)に沿って延びる長さ寸法を有する糸と、前記糸の外側に延在することによって前記糸に付けられた、または前記糸で形成された複数のループと、を備え、前記複数のループの各々は、前記複数のループの別のループを受けるように適合された内部空間を画定する。前記複数のループは、主に＋ｙ軸に沿って外向きに延びる第１ループセットと、−ｙ軸に沿って延びる第２ループセットとを含み、前記第１ループセットは、前記対称軸（Ａ）を中心として前記第２ループセットと基本的に対称である。本発明は、さらに、本発明の方法によって得られる編物及び編物を手動で形成する方法を提案する。【選択図】  図１
2022502581.tif 000002
【特許請求の範囲】
【請求項１】
工具を使用せずに手動で編物（１００）を形成するための編糸（１）において、
対称軸（Ａ）に沿って延びる長さ寸法を有する糸（３０）と、
前記糸（３０）の外側に延びることにより前記糸（３０）に付けられ、または形成される複数のループ（４０）と、
を備え、
前記複数のループ（４０）のそれぞれは、前記複数のループ（４０）のうちの別のループ（４０）を受け入れるように適合された内部空間（４３）を画定する、編糸（１）であって、
前記複数のループ（４０）は、第１ループセット（１０）および第２ループセット（２０）を含み、前記第１ループセット（１０）が主に＋ｙ軸に沿って外向きに延び、前記第２ループセット（２０）が−ｙに沿って延び、前記＋ｙおよび−ｙ軸の方向が共に対称軸（Ａ）に対して垂直であり、前記第１ループセット（１０）は、前記対称軸（Ａ）に関して前記第２ループセット（２０）に対して実質的に対称であることを特徴とする、編糸（１）。
【請求項２】
前記編糸（１）の糸（３０）及び／又はループ（４０）は、複数の構成糸から作られる、請求項１に記載の編糸（１）。
【請求項３】
前記第１ループセット（１０）と前記第２ループセット（２０）の構成糸の物理的及び／又は構造的特性が異なる、請求項２に記載の編糸（１）。
【請求項４】
前記複数のループ（４０）の各々は、前記糸（３０）に付けられ又は形成された第１端部（４１）と、前記糸（３０）に付けられ又は形成された第２端部（４２）とを含み、前記ループ（４０）の前記第１端部（４１）は、同一のループ（４０）の前記第２端部（４２）に対して離間している、請求項１〜３のいずれか一項に記載の編糸（１）。
【請求項５】
前記複数のループ（４０）の各々の前記内部空間（４３）は、前記ループ（４０）の前記第１端部（４１）と前記第２端部（４２）との間の幅距離（ｗ）よりも大きい高さ寸法（ｈ）を有する、請求項４に記載の編糸（１）。
【請求項６】
前記複数のループ（４０）の各々は、前記糸（３０）に付けられ又は前記糸（３０）で形成された第１端部（４１）と、前記糸（３０）に付けられ又は前記糸（３０）で形成された第２端部（４２）とを含み、一次ループ（４０）の第２端部（４２）は、同一のループセット内で前記一次ループ（４０）に隣接する第２ループ（１１）の第１端部（４１）に対して離間している、請求項１〜３のいずれか一項に記載の編糸（１）。
【請求項７】
請求項１〜６のいずれか一項に記載の編糸（１）を使用することによって、工具を使用することなく編物（１００）を手動で形成する方法において、
（ｉ）前記編糸（１）を、それぞれ所定数のループ（４０）を含む複数の列に配列するステップと、
（ｉｉ）配列  された二次列（３２）の第１ループセット（１１）の一つ又は複数のループを、配列された第１列（３１）の第１ループセット（１１）の対応する各ループの内部空間（４３）に通すステップと、
（ｉｉｉ）少なくとも１片の編物（１００）が形成されるまで、上記ステップを独立に繰り返すステップと、
を含む、方法。
【請求項８】
ステップ（ｉｉ）またはステップ（ｉｉｉ）のいずれかのステップの後に、
（ｉｖ）配列された二次列（３２）の第２ループセット（２１）の一つ又は複数のループを、配列された第１列（３１）の第２ループセット（２１）の対応する各ループの内部空間（４３）に通す、ステップ、
を更に含む、請求項７に記載の方法。
【請求項９】
前記ステップ（ｉｉｉ）は、
（ａ）前記一次列（３１）の各々の対応ループ（４０）の内部空間（４３）に、前記第２列（３２）の前記ループ（４０）を通すことによって得られた、通された列の、それぞれの対応ループ（４０）の各々の内部空間（４３）に、配列された三次列（３３）の第１ループセット（１０）及び／又は第２ループセット（２０）のループ（４０）の各々を通す工程と、
（ｂ）前記三次列（３３）のループ（４０）を、前記通された列の対応ループ（４０）に通すことによって得られる他の通された列の、それぞれの対応ループ（４０）の各々の内部空間に、配列された四次列（３４）の第１ループセット（１０）および／または第２リープセット（２０）のループ（４０）の各々を通す工程と、
（ｃ）（ａ）工程または（ｂ）工程を最終列（３９）が得られるまで、更に配列された列および通された列に適用する工程と、
を含む、請求項８に記載の方法。
【請求項１０】
配列された列の第１ループセット（１１１）の少なくとも１つのループを、配列された別の列の第２ループセット（２１）の対応する各ループの内部空間（４３）に通すステップと、
前記配列された列の第２ループセット（２１）の残りのループのうちの少なくとも１つを、前記配列された別の列の前記第１ループセット（１１）の対応する各ループの内部空間（４３）に通すステップと、
を含み、
前記配列された別の列の参照されたループ（４０）は、互いに対称である、請求項７〜９のいずれか一項に記載の方法。
【請求項１１】
ステップ（ｉ）で配列された各列は、同数または異なる数のループ（４０）を備える、請求項７〜１０のいずれか一項に記載の方法。
【請求項１２】
ステップ（ｉｉｉ）または工程（ｃ）の後に、
（ｖ）最終列（３９）のループ（４０）を結合するステップを実施する、請求項７〜１１のいずれか一項に記載の方法。
【請求項１３】
前記ステップ（ｖ）は、以下の介在ステップを含む、請求項１２に記載の方法。
（ｖｉ）最終列（３９）の第１ループセット（１１）の第２ループを、最終列（３９）の第１ループセット（１１）の隣接する第１ループの内部空間（４３）に挿入するステップ、
（ｖｉｉ）最終列（３９）の第１ループセット（１１）の前記ステップ（ｖｉ）で得られた隣接ループ（４０）の内部空間（４３）に、最終列（３９）の第１ループセット（１１）の第３ループを挿入するステップ、
（ｖｉｉｉ）最終列（３９）の第２ループセット（２１）の第２ループを、最終列（３９）の第２ループセット（２１）の隣接する第１ループの内部空間４３）に挿入するステップ、
（ｉｘ）最終列（３９）の第２ループセット（２１）の前記ステップ（ｖｉｉｉ）で得られた隣接ループ（４０）の内部空間（４３）に、最終列（３９）の第２ループセット（２１）の第３ループを挿入するステップ、
（ｘ）最終列（３９）の全てのループ（４０）が終了するまで、ステップ（ｖｉｉ）および（ｉｘ）を更なるループ（４０）および得られたループ（４０）に挿入することを繰り返すステップ。
【請求項１４】
請求項７〜１３のいずれか一項に記載の方法により得られた編物（１００）であって、一方の面（１０１；１０２）が編糸（１）の第１ループセット）１０）の特性を示し、他方の面が第２ループセット（２０）の特性を示す編物。
【発明の詳細な説明】
【発明の技術分野】
【０００１】
本発明は、編糸に関するものであり、特に、複数のループが付けられた、または、複数のループが形成された糸を有する新規な編糸に関するものである。また、本発明は、本発明に係る前記編糸を使用することによって編物を形成する方法に関する。
【０００２】
【発明の背景】
【０００３】
特に糸効果を有する花糸（Fancy yarns）は、性能よりも美的外観を重視して設計されている。これらの糸は、巻付糸（wrapped yarns）とも呼ばれ、従来のリングスピニングシステムを使用するが、追加の送り及び制御装置を使用し、最近では中空スピンドルシステムを使用して作成することができる。これらの花糸は、常に、少なくとも３つの基本的な構成ストランド、即ち、コア、バインダ及びエフェクトストランドを含む。前記バインダストランドは、エフェクトストランドをコアストランドに不規則に固定するために使用される。
【０００４】
米国特許第3,458,988号公報には、少なくとも１本の略直線状の張力を有するコアストランドと、コアストランドの周囲に不規則にループ状に撚られた第１ストランドと、第１ストランドを所定の位置に保持する役割を果たす第２ストランドとを含む、巻き付けられた糸が開示されている。前記糸は、既知の編み方、すなわち、編み棒または鉤針編み（crochet）フックのような道具を使用し、前記編み道具の助けを借りて、開示された直線糸から編みループを形成することによってのみ、編み上げるのに適している。また、開示された第１ストランドは、当該巻糸を既知の編み方で編む際に、編物に作用するストランドとして機能する。
【０００５】
上述したように、従来の糸を用いて編む場合には、鉤針編みフックや編み棒等の編物器具が用いられる。従来の通常の糸を用いて編物を適切に編むには、このような道具の使用を含めて編むことの詳細を学ぶ必要があるため、熟練していない人にとっては、編む手順は極めて困難である。そのような人が編物の経験とスキルを持っていたとしても、そのような人が大きなアイテムを編むのにかなりの時間を要する。従って、人が編物を形成するための手順を迅速に学習することができ、また人が鉤針編みフックや編み棒などの工具を使用することなく手動で編物を行うことができる編糸及び編物の形成方法を提供する必要性が生じている。
【０００６】
ハートリード:「レッドハートとあなた」。"TM2Hearts One Passion",Catalog2012/2013,31Dec2012,XP055479279,pages40 - 41には、"Boutique Swerve"と名付けられた、複数の連続したループと、該糸で作られた異なる色の３つのスカーフとを有する糸が提供されている。
【０００７】
US2018/305845A1は、互いに離間した関係で糸の外側に延びる複数のループを有する糸を有する編糸を形成するステップと、編糸を複数の列に配列するステップと、複数の列のうちの１つの列の複数のループのうちの１つのループを、他の複数の列の別のループの内部に通すステップと、編物が形成されるまでステップを繰り返すステップとを含む、工具を使用せずに編物を手動で形成する方法を開示している。さらに、糸と、該糸に固定された、または該糸で形成された複数のループとを有する編糸が開示されている。
【０００８】
一方、国際公開第2018182545号公報には、鉤針編みフックや編み棒等の編物器具を使用せずに、表面の大きな編物を得るために使用できるリング付きの糸、該リング付きの糸を使用して編物を得る方法が開示されている。しかしながら、参照文献の図のページに明確に示されているように、上述の糸の開示リングの全ては、上述の糸の一方の側のみから外向きに延びている。したがって、この文献に開示された糸では、表裏の編み面に２つの異なる模様や色を有する編物を得ることができない。そのため、この文献の糸を用いて得られる、編まれた表面は、本質的に互いに異なる特性、すなわち異なるパターンおよび色を示す第１および第２の表面を有さない。
【０００９】
【発明の目的】
【００１０】
本発明の第１目的は、現在の技術水準で説明された上記の欠点を排除することである。
【００１１】
本発明の他の目的は、編機を使用しない編糸及び編物の形成方法を提供することにある。
【００１２】
本発明の他の目的は、特別な訓練や経験を必要とせず、かつ、あらゆる年齢の人が使用することができる編糸及び編物の形成方法を提供することにある。
【００１３】
本発明の他の目的は、器用さ及び数学的知識の点で子供の発達を容易にすることができる編糸及び編物の形成方法を提供することである。
【００１４】
本発明の別の目的は、所望の寸法に寸法決めすることができる編糸及び編物を形成する方法を提供することである。
【００１５】
本発明の他の目的は、編物のこわばり、剛性、硬さを除去する編糸及び編物の形成方法を提供することにある。
【００１６】
本発明の他の目的は、使いやすく、製造しやすく、比較的安価な編糸及び編物の形成方法を提供することにある。
【００１７】
本発明の他の目的は、編糸及びその上に模様を有する編物を形成する方法を提供することにある。
【００１８】
本発明の他の目的は、互いに性質の異なる表面を有する編物を形成する編む方法を提供することにある。
【発明の概要】
【００１９】
本発明は、工具を使用せずに手動で編物を形成するための編糸を提案するが、編糸は、 軸（Ａ）に沿って延びる長さ寸法を有する糸と、前記糸の外側に延びることによって前記糸に付けられた、または前記糸で形成された複数のループと、 を備え、前記複数のループの各々は、前記複数のループの別のループを受けるように適合された内部空間を画定する。前記複数のループは、第１ループセットおよび第２ループセットを含み 、第１ループセット（１０）が主に＋ｙ軸に沿って外向きに延び、第２ループセット（２０）が−ｙ軸に沿って延び、前記＋ｙ軸および−ｙ軸の方向が共に対称軸（Ａ）に垂直である場合、前記第１ループセットは、前記対称軸（Ａ）に関して前記第２ループセットに対して実質的に対称である。
【００２０】
本発明の一実施形態によれば、前記糸および／またはループは、任意に異なる織物材料を含む一つ又は複数の構成糸から独立して作られる。さらに、第１ループセットおよび第２ループセットの構成糸の物理的および／または構造的特性が異なっていてもよい。
【００２１】
本発明の一実施形態によれば、前記複数のループの各々は、前記糸に付けされた又は前記糸で形成された第１端部と、前記糸に付けられた又は前記糸で形成された第２端部とを含む。ループの前記第１端部は、任意で、同じループの第２端部に対して間隔を置いて配置される。さらに、前記複数のループのそれぞれの内部空間は、好ましくは、ループの前記第１端部と前記第２端部との間の幅距離（ｗ）よりも大きい高さ寸法（ｈ）を有する。また、一次ループの第2の端部は、任意で、同じループセット内の前記一次ループに隣接する第2のループの第1の端部に対して間隔を置いて配置される。
【００２２】
また、本発明は、本発明に係る編糸を用いて手動で編物を形成する方法を提案する。
【００２３】
本方法は、以下のステップを含む。（ｉ）所定数のループを含む複数列に編糸を配列するステップ、 （ｉｉ）配列された第２列の第１ループセットの一つ又は複数のループを、配列された第１列の第１ループセットの対応する各ループの内部空間に通すステップ、 （ｉｉｉ）少なくとも１つの編物が形成されるまで、上記のステップを独立して繰り返すステップ、 好ましくは、方法ステップ（ｉｉｉ）は、（ａ）配列された三次列の第１ループセットおよび／または第２ループセットの各ループを、一次列の対応するループに二次列のループを通すことによって得られる、通された列の対応する各ループの内部空間に通すステップ、 （ｂ）配列された四次列の第１ループセットおよび／または第２ループセットのループの各々を、三次列のループを、通された列の対応するループに通して得られた、他の通された列の対応するループの各々の内部空間に通すステップ、 （ｃ）最終列が得られるまで、さらに配列された列および通された列に「a」または「b」の通すステップを適用するステップを更に含む。
【００２４】
本発明の方法は、（ｉｖ）ステップ（ｉｉ）または（ｉｉｉ）のいずれかの後に実施される、配列された第２列の第２ループセットの一つ又は複数のループを、配列された第１列の第２ループセットの各対応するループの内部空間に通すステップをさらに含むことができる。
【００２５】
本発明の好ましい実施形態によれば、編物の表面にパターンを形成するための方法は 、配列された列の第１ループセットの少なくとも１つのループを、配列された別の列の第２ループセットの対応する各ループの内部空間に通すステップと、 前記配列された列の第２のループセットの残りのループのうちの少なくとも１つを、前記配列された別の列の前記第１ループセットの前記対応する各ループの内部空間に通すステップであって、前記配列された別の列の前記参照されたループは、互いに対称である、ステップと、を含む。
【００２６】
任意選択的に、開示された方法のステップ（ｉ）で配列された列の各々は、同数または異なる数のループを含む。
【００２７】
好ましい実施形態によれば、本発明の方法は、上述のステップ（ｉｉｉ）または（ｃ）の後に実施される以下のステップをさらに含む。（ｖ）最終列のループを結びつけるステップ。さらに、結びつけるステップ（ｖ）は、 （ｖｉ）最終列の第１ループセットの第２ループを、最終列の第１ループセットの隣接する第１ループの内部空間に挿入するステップと、 （ｖｉｉ）最終列の第１ループセットの第３ループを、最終列の第１ループセットの上記ステップ（ｖｉ）で得られた隣接ループの内部空間に挿入するステップと、 （ｖｉｉｉ）最終列の第２ループセットの第２ループを、最終列の第２ループセットの隣接する第１ループの内部空間に挿入するステップと 、（ｉｘ）最終列の第２ループセットの第３ループを、最終列の第２ループセットの前記ステップ（ｖｉｉｉ）で得られた隣接ループの内部空間に挿入するステップと、 （ｘ）挿入ステップ（ｖｉｉ）および（ｉｘ）を繰り返して、最終列の全てのループが終了するまで、更なるループおよび得られたループを形成するステップと、を含む。
【００２８】
また、本発明は、本発明の方法ステップにより編糸を編むことによって得られる編物を更に提案する。
【図面の簡単な説明】
【００２９】
簡潔な説明が本書に提供される図は、本発明のより良い理解を提供することのみを意図したものであり、それ自体、保護の範囲を定義することを意図したものではなく、また、本書が存在しない場合に前記範囲が解釈される文脈を意図したものでもない。
【図１】図１は、本発明に係る編糸の概略正面図である。
【図２】図２は、編物を形成する方法において、編糸を列状に配列するステップ（ｉ）を示している。
【図３】図３は、編物を形成する方法において、二次列のループを一次列のループの内部空間に通すステップ（ｉｉ）を示している。
【図４】図４は、二次列のループが一次列のループの内部空間を通過した後のループの図を示す。
【図５】図５は、二次列の全てのループが一次列のループの内部空間を通過した後のループの図を示す。
【図６】図６は、二次列の第１ループセットおよび第２ループセットの全てのループが一次列のループを通された後のループの図を示す。
【図７】図７は、本発明による方法によって形成された編物の第２表面の図を示す。
【図８】図８は、本発明による方法によって形成された編物の第１表面の図を示す。
【図９】図９は、最終列の第２ループセットの第２ループを、最終列の第２ループセットの隣接する第１ループの内部空間を通して挿入する結びつけるステップ（ｖｉ）を示す。
【図１０】図１０は、ステップ（ｖｉ）で得られた隣接するループの内部空間を通して、最終列の第３ループセットの第２ループを挿入する結びつけるステップ（ｖｉｉ）を示す。
【図１１】図１１は、最終列の第１ループセットおよび第２ループセットの第３ループを、ステップ（ｖｉ）および（ｖｉｉｉ）でそれぞれ得られた隣接ループの内部空間に挿入する結びつけるステップ（ｖｉｉ）および（ｉｘ）を示す。
【図１２】図１２は、最終列の全てのループを結びつけた後の編物の上面図を示す。
【図１３ａ】図１３ａは、本発明による方法によって形成された編物の第２表面の詳細図を示す。
【図１３ｂ】図１３ｂは、本発明による方法によって形成された編物の第２表面の全体図を示す。
【図１４ａ】図１４ａは、本発明による方法によって形成された編物の第１表面の詳細図を示す。
【図１４ｂ】図１４ｂは、本発明による方法によって形成された編物の第１表面の詳細図を示す。
【図１５ａ】図１５ａは、本発明による方法によって編まれた、パターンを有する編物の第２表面の詳細図を示す。
【図１５ｂ】図１５ｂは、本発明による方法によって編まれた、パターンを有する編物の第２表面の全体図を示す。
【図１６ａ】図１６ａは、本発明による方法によって編まれた、パターンを有する編物の第１表面の詳細図を示す。
【図１６ｂ】図１６ｂは、本発明による方法によって編まれた、パターンを有する編物の第１表面の全体図を示す。
【図１７】図１７は、本発明による編糸の列を例示する。
【発明の詳細な説明】
【００３０】
本発明は、鉤針、編物針のような工具を使用せずに手動で編物（１００）を形成するための編糸（１）を提供する。図１および図１７に示すように、編糸（１）は、軸（Ａ）に沿って延びる長さ寸法を有する糸（３０）と、糸（３０）の外側に延びることによって前記糸（３０）に付けられ又は形成された複数のループ（４０）とを備え、前記複数のループ（４０）のそれぞれは、前記複数のループ（４０）のうちの別のループ（４０）を受け入れるように適合された内部空間（４３）を画定する。さらに、前記複数のループ（４０）は、主に＋ｙ軸に沿って外向きに延びる第１ループセット（１０）と、−ｙ軸に沿って延びる第２ループセット（２０）とを含み、前記第１ループセット（１０）は、前記対称軸（Ａ）を中心に前記第２ループセット（２０）に対して実質的に対称である。これにより、第１表面（１０１）と、糸の異なる部分、すなわちループを用いて設けられた第２表面（１０２）とを有する編物（１００）が得られる。したがって、得られる編物（１００）は、互いに本質的に異なる特性、すなわち、異なるパターンおよび色を有する表面を含むことができる。上述の図を参照すると、前記第１ループセット（１０）および第２ループセット（２０）は、主に前記軸（Ａ）に垂直な方向に延びることができ、すなわち、図１および図１７に示すように、編糸（１）の第１ループセット（１０）が主に＋ｙ軸に沿って外向方に延び、第２ループセット（２０）が−ｙ軸に沿って延び、ここで、前記＋ｙ軸および−ｙ軸の方向が共に対称軸（Ａ）に垂直である場合、前記第１ループセット（１０）は、前記対称軸（Ａ）に関して前記第２ループセット（２０）に対して実質的に対称である。
【００３１】
本発明の一実施形態による編糸（１）の糸（３０）および／またはループ（４０）は、任意に異なる織物材料を備える一つ又は複数の構成糸から独立して作られる。このような編糸（１）に複合構成糸構造を設ける場合には、前記構成糸が同一であっても異なるように選択されてもよい。糸（３０）及び／又はループ（４０）の前記構成糸は、異なる種類の構成糸の中から任意に選択することができ、連動させて複合構成糸を得ることができるので、使用者の好みに応じて異なる特性を有する本発明の複合構成編糸（１）を提供することができる。
【００３２】
本発明の好ましい実施形態によれば、第１ループセット（１０）および第２ループセット（２０）の構成糸の物理的および／または構造的特性は、互いに比較したときに異なる。図１および図２に要約されるように、第１ループセット（１０）および第２ループセット（２０）が付けられる又はそれと共に形成される糸（３０）は、第１ループセット（１０）および第２ループセット（２０）の両方の構成糸から作られる複合構成糸として選択することができる。これにより、構成糸の物性及び／又は構造特性に関して構成糸分布が均一な編糸（１）を提供することができる。
【００３３】
図１７を参照すると、前記複数のループ（４０）のそれぞれは、前記糸（３０）に付けられた又は前記糸（３０）で形成された第１端部（４１）および第２端部（４２）とを含む。本発明の一実施形態によれば、前記ループ（４０）のそれぞれの前記第１端部（４１）および第２端部（４２）は、前記糸（３０）上の同じ場所に位置決めされる。一方、図１７に示されるように、ループ（４０）の前記第１端部（４１）は、ループ（４０）の第２端部（４２）に対して間隔を置いて配置され、ループ（４０）の前記端部の間に幅距離（ｗ）を確立してもよい。各ループ（４０）の第１端部（４１）と第２端部（４２）との場所は、開示された編糸（１）に本発明の編む方法を適用して得られる編物（１００）の表面外観に影響を与える。
【００３４】
さらに、前記複数のループ（４０）のそれぞれの内部空間（４３）は、ループ（４０）の第１端部（４１）と第２端部（４２）との間の幅距離（ｗ）よりも大きい高さ寸法（ｈ）を有することが好ましい。開示された高さ距離（ｈ）は、本発明の編糸（１）を後述する方法で編んで得られる編物（１００）の糸密度の調整に有効である。高さ距離（ｈ）が比較的大きい編糸（１）を使用する用途では、＋ｙ方向または−ｙ方向の糸密度が低く、高さ距離（ｈ）が比較的小さい編糸（１）を使用する用途では、糸密度が高い。
【００３５】
本発明の他の実施形態によれば、一次ループ（４０）の第２端部（４２）および第２ループ（１１）の第１端部（４１）は、同一列の前記一次ループ（４０）に隣接して、前記糸（３０）上の同じ場所に位置決めされる。一方、図１７に示すように、一次ループ（４０）の第２端部（４２）は、第２ループ（１１）の第１端部（４１）に対して間隔を置いて配置され、隣接するループ（４０）の端部の間に距離（ｄ）を確立してもよい。本発明の編糸（１）を後述する方法で編んで得られる編物（１００）の糸密度は、隣接する２つのループ（４０）の第１端部（４１）および第２端部（４２）の糸（３０）の同列上の場所によって決まる。距離ｄが相対的に小さい編糸（１）を使用する用途では、編物（１００）の＋ｘ方向または−ｘ方向の糸密度が高く、逆に距離（ｄ）が相対的に大きい編糸（１）を使用する用途では、編物（１００）の糸密度が低い。
【００３６】
上述のように、前記複数のループ（４０）の各々は、前記複数のループ（４０）の別のループ（４０）を受けるように適合された内部空間（４３）を画定する。好ましくは、前記複数のループ（４０）の各々は、所定の図のページに図示されるように、その寸法に基づいて他のものと同じ構成を有する。これにより、平面状の第１表面（１０１）と第２表面（１０２）とを有する編物（１００）が提供される。当業者に理解されるように、ループ（４０）が、異なる寸法を有するように得られる場合、編物（１００）の前記表面は、表面の凹凸を含む。使用者の要求に応えるために、異なる寸法のループ（４０）を含む編糸（１）を設けることもできる。さらに、開示された第１ループセット（１０）は、前記対称軸（Ａ）を中心として前記第２ループセット（２０）0)に対して実質的に対称である。この構成により、規則的な表面構造を有する編物（１００）を形成するとともに、当該編物（１００）の表面に異なる模様を作成することができる。
【００３７】
また、本発明は、本発明に係る編糸（１）を用いて手動で編物（１００）を形成する方法を提案する。この方法は、
（ｉ）図２に示すように、所定数のループ（４０）をそれぞれ含む複数の列に編糸（１）を配列するステップ、 
（ｉｉ）図３に示すように、配列された二次列（３２）の第１ループセット（１１）の一つ又は複数のループを、配列された一次列（３１）の第１ループセット（１１）の対応する各ループの内部空間（４３）に通すステップ、 
（ｉｉｉ）図７から図８に示すように、少なくとも１つの編物（１００）が形成されるまで、上記のステップを独立して繰り返すステップ、
を含む。
【００３８】
好ましくは、上記開示された編み方は、二次列（３２）の第１ループセット（１１）の各ループを、ステップ（ｉｉ）の後に実施された一次列（３１）の第１ループセット（１１）の対応する各ループの内部空間（４３）に通すステップを含む。図５は、この方法ステップを適用した後の編糸（３０）およびループ（４０）の具体例を示す。
【００３９】
本発明の一実施形態によれば、前記方法は、第１ループセット（１１）のループのみを通し、第２ループセット（２１）のループを通さないステップ、または第２の他のオプションとして、第２ループセット（２１）のループのみを通し、第１ループセット（１１）のループを通さないステップを含む。従って、本発明の編糸（１）を編むことにより、編物（１００）の第１表面（１０１）又は第２表面（１０２）をそれぞれ編み、その他の表面、すなわち第２表面（１０２）又は第１表面（１０１）を編まず、編まれない表面のループ（４０）を自由端とする編物（１００）が得られる。これにより、編む人／使用者の要求に応じて、表面の外観や表面性状が異なる編物（１００）を得ることができる。前記自由端ループ（４０）、すなわち編まれたループではない自由端ループは、編物（１００）に柔らかくてふわふわした外観を与える。
【００４０】
本発明の好ましい態様によれば、前記方法は、ステップ（ｉｉ）または（ｉｉｉ）のいずれか１つの後に実施される以下のステップを更に含む。
【００４１】
（ｉｖ）配列された二次列（３２）の第２ループセット２１）の一つ又は複数のループを、配列された一次列（３１）の第２ループセット（２１）の対応する各ループの内部空間（４３）に通すステップ。
【００４２】
好ましくは、上記の開示された方法ステップは、二次列（３２）の第２ループセット（２１）の各ループを、一次列（３１）の第２ループセット（２１）の対応する各ループの内部空間（４３）に通すステップを含む。図６は、この方法ステップが、一次列（３１）および二次列（３２）のループに適用された後の編糸（３０）およびループ（４０）の具体例を示す。この（ｉｖ）の方法ステップは、編む人／使用者の要求に応じて繰り返される。
【００４３】
当業者には理解されるように、上記に開示された方法ステップ（ｉｉｉ）は、二次列（３２）のループ（４０）を一次列（３１）の対応するループ（４０）に通して得られた列の対応するループ（４０）のそれぞれの内部空間（４３）を通して、配列された三次列（３３）の第１ループセット（１０）及び／又は第２ループセット（２０）のループ（４０）のそれぞれを通すステップを更に含む。第３列に適用された同様のステップは、配列された第４列，第５列、この次の列に対しても、それぞれ、前の通すステップで得られた列のループ（４０）を用いて、そのループ（４０）に通すことにより行われる。したがって、上記開示された方法ステップ（ｉｉｉ）は、
（ａ）二次列（３１）のループ（４０）を一次列（３２）の対応するループ（４０）に通して得られた、通された列の、それぞれの対応ループ（４０）の各々の内部空間（４３）に、配列された三次列（３３）の第１ループセット（１０）および／または第２ループセット（２０）のループ（４０）の各々を通すステップと、
（ｂ）第３列（３３）のループ（４０）を、通された列（３１）の対応するループ（４０）に通して得られた、別の通された列の、それぞれの対応ループ（４０）の各々の内部空間（４３）に、配列された第４列（３４）の第１ループセット（１０）および／または第２ループセット（２０）のループ（４０）の各々を通すステップと、
（ｃ）（ａ）または（ｂ）の通すステップを、最終列（３９）が得られるまで、さらに配列された列および通された列に適用するステップと、
を含む。
【００４４】
図７および図８は、それぞれ、編物（１００）の第２表面（１０２）および第１表面（１０１）を示し、配列された第５列の全てのループ（４０）が互いに糸を通して編まれている。
【００４５】
本発明の好ましい実施形態によれば、ステップ（ｉ）で配列された列の各々は、同数のループ（４０）を備える。したがって、本発明の開示された方法によって形成された編物（１００）は、長方形の形状となる。しかしながら、編む人が長方形とは異なる形状を有する編物（１００）を得たい場合、各列は、所望の形状を形成するために異なる数のループ（４０）を含むように配列することができる。
【００４６】
本発明の好ましい実施形態によれば、本発明の編糸（１）および編成方法を用いて、異なる色の第１表面（１０１）および第２表面（１０２）を有し、さらに／または異なる構造特性を提供する編物（１００）を作ることができる。。本発明の開示された編糸（１）のループ（４０）は、比較の際に異なる物理的及び／又は構造的特性を有する構成糸から構成されるように、すなわち、第１ループセット（１０）の構成糸が、編糸（１）の第２ループセット（２０）の構成糸と異なるように、任意に選択される。さらに、第１ループセット（１０）の構成糸と第２ループセット（２０）の構成糸との間、または各ループ（４０）の個々の構成糸の間の差異は、それらが生産された原料の構造的な差異によるものであるか、または、色のような異なる物理的特性を提供するように当該糸が選択されるという事実によるものである。例えば、ループセットの全てのループ（４０）は綿で作られ、他方のループセットのループ（４０）は、ウール、ポリエステル、絹、リネン、ナイロン、又はこれらの組み合わせのような異なる糸の種類から作られる。一方、ループセットまたはループ（４０）は、異なる色、色の組み合わせ、または異なる厚さから選択することができる。一つ又は複数のループ（４０）またはループセットは、可撓性／弾性構造を有することができるが、他方は伸張することができない。任意に、第１ループセットおよび第２ループセットの構成糸は、互いに異なっていてもよく、すなわち、撚り、カール、ブークレおよび／またはシェニールなどであってもよく、異なる染色技術で染色することもできる。なお、ここで説明した各実施例は、本発明に係る編糸（１）に対して個別に拡張して適用してもよいし、必要に応じて組み合わせて適用してもよい。
【００４７】
本発明の方法に従って編糸（１）を編んで得られる編物（１００）の第１表面（１０１）は、第１ループセット（１０）の特性を示し、第２表面（１０２）は、第２ループセット（２０）の特性を示す。したがって、対称軸（Ａ）を中心として実質的に対称な第１ループセット（１０）と第２ループセット（２０）とが異なる性質を有することに起因して、本発明で提供される編物（１００）の表面の技術的性質も異なる。既知の方法で既知の糸を編んだときに編物（１００）の表裏があるが、本発明の開示された編糸（１）で開示された編み方を用いて得られた編物（１００）の第１表面（１０１）と第２表面（１０２）の両方を前面として用いることもできる。すなわち、本発明の編物（１００）は、裏面を有していないが、２つの面を備え、これらの面（即ち、第１表面（１０１）、第２表面（１０２））は、表面として使用するのに適している。一方、手編みにより形成され、かつ、第１表面（１０１）、第２表面（１０２）が連続した構造体として得られるため、前記特徴は、横糸-縦糸を用いることなく得られる。これにより、ウール等の寒冷な気候条件での使用に適した材料からなる第１表面（１０１）と、綿等の暑い気候条件での使用に適した材料からなる第２表面（１０２）とを有する編物（１００）を得ることができる。同様の実施例は、編物（１００）を得るための要件に基づいて、すなわち、一方の表面が明るく他方の表面がくすむ、異なる色を有する表面を用いて拡張することができる。
【００４８】
図２は、第１ループセット（１１）のループが黒色であり、第２ループセット（２１）のループが灰色である編糸（１）を示す実施例である。開示された編糸（１）を図２−図６に示すように上記開示された手法ステップに従って編むと、図８に示すような黒色の第１表面（１０１）と、図７に示すような灰色の第２表面（１０２）とを有する編物（１００）が得られる。さらに、図１３ａおよび図１３ｂは、それぞれ、白色で得られる編物（１００）の第２表面（１０２）の詳細図および全体図を示し、図１４ａおよび図１４ｂは、それぞれ、灰色で得られる同じ編物（１００）の第１表面（１０１）の詳細図および全体図を示す。この実施例では、第１ループセット（１１）のループは灰色で選択され、第２ループセット（２１）のループは白色で選択される。さらに、当業者に理解されるように、糸（３０）は、編物（１００）の第１表面（１０１）と第２表面（１０２）との間に立ち、したがって、ループ（４０）の構成糸の太さに基づいて、使用者／人に編物（１００）上で見えないことがある。
【００４９】
本発明の一実施形態によれば、第１ループセット（１１）のループ及び／又は第２ループセット（２１）のループは、編み工程中、特に、ループ（４０）を他のループ（４０）の内部空間（４３）に通す際に、編み機を容易にする弾性構造を有する。また、上記の編糸（１）及び方法を用いて得られる編まれた表面（１００）も弾性構造を有する。
【００５０】
一方、本発明に係る編糸（１）を用いて、編糸（１）の第１ループセット（１０）と第２ループセット（２０）とを異なる色に選択して異なる色のパターンを形成することにより、編物（１００）の表面（１０１，１０２）に任意のパターンを形成することができる。図１は、第１ループセット（１１）のループが灰色であり、第２ループセット（２１）のループが白色である本発明による編糸（１）を示す。図１５ａ、図１５ｂおよび図１６ａ、図１６ｂは、図１の開示された編糸（１）を使用して編まれた編物（１００）を示す。図１５ａ、図１５ｂおよび図１６ａ、図１６ｂに示すように、逆「v」の形状のパターンが、以下のステップに従って、編物（１００）の第１表面（１０１）および第２表面（１０２）の両方に設けられる。編糸（１）を、異なる物理的及び／又は構造的特性を有するように選択された第１ループセット（１０）及び第２ループセット（２０）をそれぞれ含む複数の列、すなわち、一次列（３１）及び二次列（３２）に配列するステップ。配列された二次列（３２）の第１ループセット（１１）の第１ループを、配列された一次列（３１）の第１ループセット（１１）の第１ループの内部空間（４３）に通すステップ。配列された二次列（３２）の第２ループセット（２１）の第１ループから配列された一次列（３１）の第２ループセット（２１）の第１ループまで、同様の通すステップを適用するステップ。一次列（３１）の第１ループセット（１１）の第１ループに隣接する一次列（３１）の第１ループセット（１１）の第２ループの内部空間（４３）に、二次列（３２）の第１ループセット（１１）の第２ループを通すステップ。-一次列（３１）の第２ループセット（２１）の第２ループに二次列（３２）の第２ループセット（２１）の第２ループを同様に通すステップを適用するステップ。二次列（３２）の第１ループセット（１１）の第３ループを、一次列（３１）の第２ループセット（２１）の第３ループの内部空間（４３）に通すステップ。二次列（３２）の第２ループセット（２１）の第３ループを、最初の列（３１）の第１ループセット（１１）の第３ループの内部空間（４３）に通すステップ。さらに、これらの通すステップは、二次列（３２）の全てのループが通されるまで、図１５ａ、図１５ｂ、図１６ａ、図１６ｂにおけるパターンを得る為に、列（３１，３２）の第４ループから第９ループ（４０）に対して繰り返される。その後、配列された第３列（３３）のループ（４０）の各々は、二次列（３２）のループ（４０）を、最初の列（３１）の対応するループ（４０）に通すことによって得られた対応するループ（４０）に通される。当業者には理解されるように、編糸（１）の少なくとも１つの第１ループセット（１１）の少なくとも１つのループを、同じ編糸（１）の対応する第２ループセット（２１）の対称なループに置き換える／交換するだけで、前記編物（１００）の表面（１０１）、（１０２）に異なるパターンを得ることができる。
【００５１】
本発明の好適な実施形態によれば、本発明の編み方は、さらに、以下のステップを含んで、編物（１００）の表面（１００，１０２）にパターンを作成する。配列された列の第１ループセット（１１）の少なくとも１つのループを、配列された別の列の第２ループセット（２１）の対応する各ループの内部空間（４３）に通すステップ。前記配列された列の第２ループセット（２１）の残りのループのうちの少なくとも１つを、前記配列された別の列の前記第１ループセット（１１）の各対応するループの内部空間（４３）に通すステップであって、配列された別の列の参照されたループは互いに対称である、ステップ。ループ（４０）を一列に対称に構成することにより、本発明に係る編物（１００）の表面（１０１，１０２）に任意のパターンを形成することができる。
【００５２】
上述の方法ステップのいずれかが実施され、所望のサイズ内の編物（１００）が得られた後、編むステップが終了され、任意に、最終列（３９）のループ（４０）を結びつけるために、編物（１００）に結びつけるステップ（ｖ）が実施される。
【００５３】
前記結びつけるステップ（ｖ）は、好ましくは、以下の介在ステップを含む。
【００５４】
（ｖｉ）最終列（３９）の第１ループセット（１１）の第２ループを、最終列（３９）の第１ループセット（１１）の隣接する第１ループの内部空間（４３）に挿入するステップ。
【００５５】
（ｖｉｉ）図１１に示すように、最終列（３９）の第１ループセット（１１）の上記ステップ（ｖｉ）で得られた隣接ループ（４０）の内部空間（４３）に、最終列（３９）の第１ループセット（１１）の第３ループを挿入するステップ。
【００５６】
（ｖｉｉｉ）最終列（３９）の第２ループセット（２１）の第２ループを、図９に示すように、最終列（３９）の第２ループセット（２１）の隣接する第１ループの内部空間（４３）に挿入するステップ。
【００５７】
（ｉｖ）最終列（３９）の第２ループセット（２１）の第３ループを、図１０および図１１に示すように、最終列（３９）の第２ループセット（２１）の上記ステップ（ｖｉｉｉ）で得られた隣接ループの内部空間（４３）に挿入するステップ。
【００５８】
（ｘ）最終列（３９）の全てのループ（４０）が終了するまで、ステップ（ｖｉｉ）および（ｉｘ）を繰り返すステップ。
【００５９】
説明した結びつけるステップ（ｖｉ）をステップ（ｖｉｉ）に、さらに、ステップ（ｘ）をステップ（ｘｉ）に結びつけるステップの処理順序は、両方の適用後に同じ結果が得られるので、取り替えられることを理解されたい。
【００６０】
本発明に係る編糸（１）および編み方は、異なる模様、色および／または特性を有する編物（１００）を生産できる点で有利である。
【００６１】
以上、本発明に係る編糸（１）を用いて、上述した方法ステップにより編物（１００）を形成することによる技術的効果について開示した。
【００６２】
【符合の説明】
【００６３】
1…編糸、10…第１ループセット、11…第１ループセットのループ、20…第２ループセット、21…第２ループセットのループ、30…糸、31…一次列、32…二次列、33…三次列、34…四次列、39…最終列、40…ループ、41…第１端部、42…第１端部、43…内部空間、100…編物、101…第１表面、102…第２表面、A…対象軸、d…ループの第２端部とそれに隣接する別のループの第２端部との間の距離、h…高さ距離、w…幅距離。
【図１】
2022502581.tif 000003
【図２】
2022502581.tif 000004
【図３】
2022502581.tif 000005
【図４】
2022502581.tif 000006
【図５】
2022502581.tif 000007
【図６】
2022502581.tif 000008
【図７】
2022502581.tif 000009
【図８】
2022502581.tif 000010
【図９】
2022502581.tif 000011
【図１０】
2022502581.tif 000012
【図１１】
2022502581.tif 000013
【図１２】
2022502581.tif 000014
【図１３ａ】
2022502581.tif 000015
【図１３ｂ】
2022502581.tif 000016
【図１４ａ】
2022502581.tif 000017
【図１４ｂ】
2022502581.tif 000018
【図１５ａ】
2022502581.tif 000019
【図１５ｂ】
2022502581.tif 000020
【図１６ａ】
2022502581.tif 000021
【図１６ｂ】
2022502581.tif 000022
【図１７】
2022502581.tif 000023
【国際調査報告】
2022502581.tif 000024
2022502581.tif 000025
2022502581.tif 000026